(57)【要約】コネクター（１０）及びリティナー（１４）によってコネクター内に固定された補強バー（１１）のＵ字形部分。コネクター（１０）は軸線（１２）に対して対称形であり、それで対応した補強バー（１１）はコネクターの反対側に配置され得る。コネクターはシート部分（１３）及びリティナー部分（１４）を備えている。シート部分（１３）は対向したＤ字形ランド（１５）、（１６）を備え、これらのＤ字形ランド（１５）、（１６）は周囲チャンネル（１７）、（１８）を画定し、これらの周囲チャンネル（１７）、（１８）内に補強バー（１１）の湾曲した部分（１９）が配置され位置決めされ得る。リティナー（１４）は、コンテナーを横切って横方向に真っ直ぐにのびかつバーの圧縮運動を阻止するように働くＴ字形突出部（２０）を備えている。ランド（１５）、（１６）は、引張り状態に置かれた時にＵ字形バーの変形を阻止する。リティナーの突出部（２０）及びそれとシート部分との係合は、リティナーが適位置に駆動される際に、バーに外向きの力を加え、ランド（１５）、（１６）に内向きの力を加える。
2006527802.tif 000002
【特許請求の範囲】
【請求項１】
バーシート部分をもつ本体と、バーを挿入できるようにバーシート部分に対して可動のバーリティナーとを有し、バーシート部分が、既に接続した隣接バーに対して第２のバーを受けて位置決めするようにされ、バーリティナーが、第２のバーをバーシート部分に配置できる第１の位置と、第２のバーの外れるのを防ぐ第２の位置との間で可動であることを特徴とするバーコネクター組立体。
【請求項２】
対向した補強バーを互いに接続するために、バーの少なくとも一方がループ部分を備え、本体が主本体を備え、バーリティナーが別個の橋絡部材を備え、主本体が開口を備え、バーシート部分が開口を通して接近できるループ部分シートを備え、ループ部分がループ部分シートに位置決めした時に主本体に固定でき、橋絡部材が主本体に結合した時に開口を横切って橋絡するようにされ、他方のバーがループ部分シートの反対側で主本体に接続され、組立体の堅固な部分がバーを互いに向って強制する傾向をもつ圧搾力に耐えるようにバー間に配置され、また引張力の下にある時にループ部分の変形に耐えるように別の堅固な部分がループ部分に配置されるように、バー、主本体及び橋絡部材の相対寸法が選択され配列されることを特徴とする請求項１に記載のバーコネクター組立体。
【請求項３】
バーがコネクターから反対方向にのびるようにバーコネクター組立体がバーを組立体に接続できることを特徴とする請求項１に記載のバーコネクター組立体。
【請求項４】
バーの端部が組立体に捕捉して保持できるような形態にバーコネクター組立体及びバー端部がされていることを特徴とする請求項１に記載のバーコネクター組立体。
【請求項５】
バーの一方が、主本体内に嵌合しかつ捕捉して保持される端部突出部を備えた単一非ループバーであることを特徴とする請求項１に記載のバーコネクター組立体。
【請求項６】
シート部分が湾曲したチャンネルを備え、この湾曲したチャンネル内にバーの湾曲した部分が位置決めされ、湾曲したチャンネルが湾曲した部分の内側を充填する直立ランドの境界であり、それでバーに引張り荷重を掛けた時にランド部分がバーを適位置に保持する助けをし、バーの変形を防ぐことを特徴とする請求項１に記載のバーコネクター組立体。
【請求項７】
バーリティナーが、バーを挿入した後に本体内に摺動できる縁に沿って摺動可能な部材を備え、バーがバーシート部分及びバーリティナーと組み合さってバーリティナーを固定し、それによりバーをバーシート部分の適位置に固定することを特徴とする請求項１に記載のバーコネクター組立体。
【請求項８】
本体及びバーリティナーがそれらの間にバーの少なくとも一方を配置するようにバーリティナーが本体の対向側部を横切って橋絡することを特徴とする請求項１に記載のバーコネクター組立体。
【請求項９】
二つの同一形態の湾曲したバーがバーコネクター組立体によって互いに接続されるように、バーコネクター組立体が対称であり、これらバーが互いに共通の平面を占めるように接続されていることを特徴とする請求項１に記載のバーコネクター組立体。
【請求項１０】
二つの同一形態の湾曲したバーがバーコネクター組立体によって互いに接続されるように、バーコネクター組立体が対称であり、これらバーが互いに共通の平面を占めるように接続され、バーが突出したリバーのＵ字形の端部であることを特徴とする請求項１に記載のバーコネクター組立体。
【請求項１１】
主本体がバーリティナーガイド通路を備え、バーリティナーがバーリティナーガイド通路上を移動するガイドを備え、バーリティナーが適位置に楔状に押し込まれるようにガイド及びガイド通路がテーパー状に形成されていることを特徴とする請求項１に記載のバーコネクター組立体。
【請求項１２】
主本体がバーリティナーガイド通路を備え、バーリティナーがバーリティナーガイド通路上を移動するガイドを備え、バーリティナーが適位置に押し込まれるようにガイドがテーパー状に形成されていることを特徴とする請求項１に記載のバーコネクター組立体。
【請求項１３】
主本体がバーリティナーガイド通路を備え、バーリティナーがバーリティナーガイド通路上を移動するガイドを備え、バーリティナーが適位置に楔状に押し込まれるようにガイド通路がテーパー状に形成されていることを特徴とする請求項１に記載のバーコネクター組立体。
【請求項１４】
バーの間の隙間が、圧搾運動を阻止するように組立体で充填され、また組立体が側面図で対称形であり、本体が一側において引張力に耐え、バーに掛かる力が組立体を介して一様に分布されるようにバーリティナーが引張力に耐えるように反対側を橋絡することを特徴とする請求項１に記載のバーコネクター組立体。
【請求項１５】
第２のバーが湾曲され、またバーリティナーがバーの湾曲した部分にクランピング力を発生し、引張りの方向に外向きの力が働き、外向きの力と反対の内向きの力が働くことを特徴とする請求項１に記載のバーコネクター組立体。
【請求項１６】
第２のバーが湾曲され、またバーリティナーが第２のバーに対して楔状に押し込まれることを特徴とする請求項１に記載のバーコネクター組立体。
【請求項１７】
組立体が二つの対向したシートを備え、両バーが湾曲され、動作位置に配置された時に向かい合った関係の湾曲した部分を備え、またバーリティナーがバーの間に楔状に押し込まれることを特徴とする請求項１に記載のバーコネクター組立体。
【請求項１８】
組立体が、対向したランドの内周部分として画定した二つの対向したシートを備え、両バーが湾曲され、動作位置に配置された時に向かい合った関係でそれぞれのランドのまわりを包む湾曲した部分を備え、またバーリティナーがバーの間に楔状に押し込まれ、バーに外向きの力を加え、そしてランドを横切って橋絡して各ランドに内向きの力を加え、引張り時にランドが分離するのを阻止するようにしたことを特徴とする請求項１に記載のバーコネクター組立体。
【請求項１９】
バーがコネクターから反対方向にのびるようにバーコネクター組立体がバーを組立体に接続できることを特徴とする請求項２に記載のバーコネクター組立体。
【請求項２０】
バーの端部が組立体に捕捉して保持できるような形態にバーコネクター組立体及びバー端部がされていることを特徴とする請求項２に記載のバーコネクター組立体。
【請求項２１】
バーの一方が、主本体内に嵌合しかつ捕捉して保持される端部突出部を備えた単一非ループバーであることを特徴とする請求項２に記載のバーコネクター組立体。
【請求項２２】
シート部分が湾曲したチャンネルを備え、この湾曲したチャンネル内にバーの湾曲した部分が位置決めされ、湾曲したチャンネルが湾曲した部分の内側を充填する直立ランドの境界であり、それでバーに引張り荷重を掛けた時にランド部分がバーを適位置に保持する助けをし、バーの変形を防ぐことを特徴とする請求項２に記載のバーコネクター組立体。
【請求項２３】
バーリティナーが、バーを挿入した後に本体内に摺動できる縁に沿って摺動可能な部材を備え、バーがバーシート部分及びバーリティナーと組み合さってバーリティナーを固定し、それによりバーをバーシート部分の適位置に固定することを特徴とする請求項２に記載のバーコネクター組立体。
【請求項２４】
本体及びバーリティナーがそれらの間にバーの少なくとも一方を配置するようにバーリティナーが本体の対向側部を横切って橋絡することを特徴とする請求項２に記載のバーコネクター組立体。
【請求項２５】
二つの同一形態の湾曲したバーがバーコネクター組立体によって互いに接続されるように、バーコネクター組立体が対称であり、これらバーが互いに共通の平面を占めるように接続されていることを特徴とする請求項２に記載のバーコネクター組立体。
【請求項２６】
二つの同一形態の湾曲したバーがバーコネクター組立体によって互いに接続されるように、バーコネクター組立体が対称であり、これらバーが互いに共通の平面を占めるように接続され、バーが突出したリバーのＵ字形の端部であることを特徴とする請求項２に記載のバーコネクター組立体。
【請求項２７】
主本体がバーリティナーガイド通路を備え、バーリティナーがバーリティナーガイド通路上を移動するガイドを備え、バーリティナーが適位置に楔状に押し込まれるようにガイド及びガイド通路がテーパー状に形成されていることを特徴とする請求項２に記載のバーコネクター組立体。
【請求項２８】
主本体がバーリティナーガイド通路を備え、バーリティナーがバーリティナーガイド通路上を移動するガイドを備え、バーリティナーが適位置に楔状に押し込まれるようにガイドがテーパー状に形成されていることを特徴とする請求項２に記載のバーコネクター組立体。
【請求項２９】
主本体がバーリティナーガイド通路を備え、バーリティナーがバーリティナーガイド通路上を移動するガイドを備え、バーリティナーが適位置に楔状に押し込まれるようにガイド通路がテーパー状に形成されていることを特徴とする請求項２に記載のバーコネクター組立体。
【請求項３０】
バーの間の隙間が、圧搾運動を阻止するように組立体で充填され、また組立体が側面図で対称形であり、本体が一側において引張力に耐え、バーに掛かる力が組立体を介して一様に分布されるようにバーリティナーが引張力に耐えるように反対側を橋絡することを特徴とする請求項２に記載のバーコネクター組立体。
【請求項３１】
第２のバーが湾曲され、またバーリティナーがバーの湾曲した部分にクランピング力を発生し、引張りの方向に外向きの力が働き、外向きの力と反対の内向きの力が働くことを特徴とする請求項２に記載のバーコネクター組立体。
【請求項３２】
第２のバーが湾曲され、またバーリティナーが第２のバーに対して楔状に押し込まれることを特徴とする請求項２に記載のバーコネクター組立体。
【請求項３３】
組立体が二つの対向したシートを備え、両バーが湾曲され、動作位置に配置された時に向かい合った関係の湾曲した部分を備え、またバーリティナーがバーの間に楔状に押し込まれることを特徴とする請求項２に記載のバーコネクター組立体。
【請求項３４】
組立体が、対向したランドの内周部分として画定した二つの対向したシートを備え、両バーが湾曲され、動作位置に配置された時に向かい合った関係でそれぞれのランドのまわりを包む湾曲した部分を備え、またバーリティナーがバーの間に楔状に押し込まれ、バーに外向きの力を加え、そしてランドを横切って橋絡して各ランドに内向きの力を加え、引張り時にランドが分離するのを阻止するようにしたことを特徴とする請求項２に記載のバーコネクター組立体。
【発明の詳細な説明】
【技術分野】
【０００１】
本発明は、バーコネクター組立体に、そして特に限定されるものではないが隣接した補強バーのＵ字形端部を結合又は接続するのに及び好ましくはそれらバーを共通の平面で結合するのに用いられるバーコネクター組立体に関するものである。
【背景技術】
【０００２】
通常、隣接したスラブにおいて複数のバーを接続するためにはコンクリートのスラブから突出するラップバーが用いられている。その一例として、壁に床を接続するのに壁リベートにラップバーが用いられる場合がある。
【０００３】
特許文献１には、基礎本体と基礎本体に回転可能に装着される少なくとも引張部材とを備えた組立てコンクリート組成ユニット（組立て床スラブ）の摩擦固定接続用の引張り要素が開示されている。引張り部材として、組立てコンクリート組成ユニットの補強ループに配置され偏心周囲において内側からループの丸くなった部分に作用する偏心軸が使用される。偏心軸は補強ループに対して回転でき、その結果として引張り部品が作られる。偏心軸の引張り部品は平坦な円筒状偏心ディスクとして形成される。
【０００４】
特許文献２には、プレキャストコンクリートブロック間の補強接続構造体が開示されており、二つのプレキャストコンクリートブロックにそれぞれ配列した補強材は互いに硬く接続され得る。補強接続構造体は二つのプレキャストコンクリートブロックにそれぞれじか埋めしたＵ字形に曲がった補強材を備え、Ｕ字形に曲がった補強材はコンクリートブロックの接合端部の近くに露出している。両ブロックは、補強材のＵ字形に曲がった部品が向い合った関係の二つのコンクリートブロック及びそれぞれの曲がった部品の内側に接触した一対のサドル状ロック金属嵌合部材に配列されるように配置されている。これらのロック金属嵌合部材はボルト及びナットによって互いに接続され、そして両側の補強材に対して僅かな引張りを加えるように固定される。
【０００５】
上記のコネクターの各々は対向したループを活発に引張る機構を使用しているが、いずれの場合もコネクターは時間の掛かり得る圧縮を考慮していない。さらに、コネクターを適用するには調整が必要であり、特許文献１の場合には、偏心軸を調整しなければならず、また特許文献２の場合にはナットを調整しなければならず、この作業は、多数のコネクターが用いられることになる場合には時間の浪費となり得る。
【発明の開示】
【発明が解決しようとする課題】
【０００６】
本発明の目的は、従来技術の上記の問題点を少なくともある程度軽減することにある。
【課題を解決するための手段】
【０００７】
一つの好ましい実施形態において、本発明は、バーシート（座）部分をもつ本体と、バーを挿入できるようにバーシート部分に対して可動のバーリティナーとを有し、バーシート部分が、接続した隣接バーに対して第２のバーを受けて位置決めするようにされ、バーリティナーが、第２のバーをバーシート部分に配置できる第１の位置と、第２のバーの外れるのを防ぐ第２の位置との間で可動であるバーコネクター組立体にある。
【０００８】
別の好ましい実施形態において、本発明は、対向した補強（強化）バーを互いに接続するために、バーの少なくとも一方がループ部分を備え、本体が主本体を備え、バーリティナーが別個の橋絡部材を備え、主本体が開口を備え、バーシート部分が開口を通して接近できるループ部分シートを備え、ループ部分がループ部分シートに位置決めした時に主本体に固定でき、橋絡部材が主本体に結合した時に開口を横切って橋絡するようにされ、他方のバーがループ部分シートの反対側で主本体に接続され、組立体の堅固な部分がバーを互いに向って強制する傾向をもつ圧搾力に耐えるようにバー間に配置され、また引張力の下にある時にループ部分の変形に耐えるように別の堅固な部分がループ部分に配置されるように、バー、主本体及び橋絡部材の相対寸法が選択され配列されて成るバーコネクター組立体から成る。
【０００９】
典型的には、バーコネクター組立体は、コネクターから反対方向にのびるようにバーを組立体に接続できる。典型的には、バーの端部は組立体に捕捉して保持できるような形態にされる。一方又は両方のバーは、主本体内に嵌合しかつ捕捉して保持される端部突出部を備えた単一バーであり得る。例えば、端部はＴ字形にされ得る。端部はＵ字形などにされ得る。
【００１０】
好ましくは、シート部分は湾曲したチャンネルを備え、この湾曲したチャンネル内にバーの湾曲した部分が位置決めされ、湾曲したチャンネルは湾曲した部分の内側を充填する直立ランドの境界であり、それでバーに引張り荷重を掛けた時にランド部分はバーを適位置に保持する助けをし、バーの変形を防ぐ。
【００１１】
バーリティナーは好ましくは、第２のバーを適位置に固定するように駆動される固体部片から成る。バーリティナーは典型的には、バーを挿入した後に本体内に摺動できる縁に沿って摺動可能な部材を備え、バーはバーシート部分及びバーリティナーと組み合さってバーリティナーを固定し、それによりバーをバーシート部分の適位置に固定する働きをする。バーリティナーは好ましくは、本体及びバーリティナーがそれらの間にバーの少なくとも一方を配置するように本体の対向側部を横切って橋絡する。
【００１２】
好ましくは組立体は、二つの同一形態の湾曲したバーがバーコネクター組立体によって互いに接続されるように、対称であり、これらバーは互いに共通の平面を占めるように接続される。バーは典型的には公知の形式の突出するリバーのＵ字形端部である。
【００１３】
主本体は好ましくはバーリティナーガイド通路を備え、バーリティナーはバーリティナーガイド通路上を移動するガイドを備え、ガイド及び（又は）ガイド通路は、バーリティナーが適位置に楔状に押し込まれるように僅かにテーパー状に形成される。バーが湾曲されるこの実施形態では、バーリティナーはバーの湾曲した部分にクランピング力を発生し、引張りの方向に外向きの力が働き、外向きの力と反対の内向きの力が働く。
【００１４】
バーの間の隙間は、圧搾運動を阻止するように組立体で充填され、また組立体は、側面図で力の分布において対称であり、主本体は補強バーの一側における引張力に耐え、バーリティナーは、バーに掛かる力が組立体を介して一様に分布されるように引張力に耐えるように補強バーの反対側を橋絡する。
【００１５】
好ましくは、第２のバーは湾曲され、またバーリティナーはバーの湾曲した部分にクランピング力を発生し、引張りの方向に外向きの力が働き、外向きの力と反対の内向きの力が働く。
【００１６】
好ましくは、第２のバーは湾曲され、またバーリティナーは第２のバーに対して楔状に押し込まれる。
【００１７】
好ましくは、組立体は二つの対向したシートを備え、両バーは湾曲され、動作位置に配置された時に向かい合った関係の湾曲した部分を備え、またバーリティナーはバーの間に楔状に押し込まれる。
【００１８】
好ましくは、組立体は、対向したランドの内周部分として画定した二つの対向したシートを備え、両バーは湾曲され、動作位置に配置された時に向かい合った関係でそれぞれのランドのまわりを包む湾曲した部分を備え、またバーリティナーはバーの間に楔状に押し込まれ、バーに外向きの力を加え、そしてランドを横切って橋絡して各ランドに内向きの力を加え、引張り時にランドが分離するのを阻止するようにされる。
【００１９】
本発明をさらに容易に理解し、実施できるようにするために、以下、本発明の好ましい実施形態を示す添付図面が参照される。
【発明を実施するための最良の形態】
【００２０】
図面、まず図１及び図２を参照すると、コネクター１０が示されており、コネクター内には補強バー１１のＵ字形部分が固定されている。補強バー１１は本発明の部分を構成していないことが認められる。コネクター１０はこの場合、以下に説明するように対応した補強バー１１がコネクターの反対側に配置できるように対称形である。反対側の特徴を一層明瞭に例示できるように反対側から補強バーは省略され、コネクターは軸線１２を中心にして対称であることが認められる。
【００２１】
コネクターはシート部分１３及びリティナー部分１４を備えている。シート部分１３は、対向したＤ字形のランド１５、１６を備え、これらのランドの周りにはチャンネル１７、１８が画定され、これらのチャンネル１７、１８内に補強バー１１の湾曲した部分１９が配置されて位置決めされ得、リティナー部分１４はＴ字形突出部２０を備え、このＴ字形突出部２０は図２に斜線を施した部分で明瞭に見られ得るように、継手すなわちコネクターを横切って横方向に真っ直ぐにのびている。Ｔ字形突出部２０は楔作用でバーに当接し、僅かな外向きの力を掛けると同時にバーを相互に動かしてコンクリートを押しつぶす圧縮を阻止している。Ｄ字形のランドは、ループ部分の形状を保ちかつループ部分が閉じるのを防ぐために引張り作用する。
【００２２】
シート部分及びリティナー部分は、コンクリート床又は壁構造体、或いは工業規格に従ってコネクターを用い得る任意の応用において望ましいように、適切な荷重に従って選択した鋳鉄である。
【００２３】
従って、ループすなわち補強バー１１は典型的には、コンクリート壁構造体又は床構造体が突出し、コネクター１０を用いて隣接した構造体における補強バーに接続される。リティナー部分は横方向の摺動作用によって適位置に配置されるので、本体、リティナー及びバーの相対寸法は、リティナーが適位置に駆動され得そしてループ部分１９に対してリティナーを固定位置に保持する接線方向で係合するように選択され得る。代わりに、シート部分及びリティナー部分の整合する摺動面は、リティナー部分が適位置に楔状に押し込まれるように僅かにテーパー状にされ得る。テーパーはそれらの一方又は他方或いは両方に設けられ得る。従って図１においてリティナー部分がシート部分に固定される作用を矢印で示し、バーと接触するリティナー部分の部分は引張り方向にバーに外向き力を発生し、及びリティナー部分はさらにＤ字形ランド１５、１６に内向きの力を発生して、バーの湾曲した部分を有効にクランプする。この作用はまた引張時にＤ字形ランドの広がりを阻止している。
【００２４】
本発明は引張及び圧縮の作用を阻止する二部分組立体を用いて対向するバーを互いに接続することにあることが認められる。これは、コネクターの半分において１１で示す形式のある環境でループバーを備えるのが好ましい場合であり得、そしてこれは、ループに対向したシート部分内へねじで挿入される単一バーに結合され得る。これは、シート部分を伸張するように僅かに変更させること及び反対側ではリティナー部分についてシート部分のねじ込みを融通するように伸張させ、それにより単一バー及びループ１１が同一平面に配置されるようにすることによって同一平面において複数のバーで実施できることが認められる。この構成においては当然、コネクターは側面図では対称ではない。これは、本明細書で定義した本発明の広義の境界及び範囲から逸脱せずに同業者に明らかである変更の一例である。別の変形では、Ｄ字形ランドを横切って橋絡するリティナーを形成することができ、リティナーか又はランドは他方の開口を通って突出する突出部を備え、そして楔によって適位置に保持される。この構成の欠点は当然、特別の部品を必要とすることにある。図７には別の変形例を示している。同一番号は同一特徴部を示している。この実施形態では、同じクランプ作用は矢印で示すが、部分２１、２２はリティナー１４から除去され、外側部分２３、２４はランド２５、２６における整合アンダーカットで蟻ほぞ形にされている。
【００２５】
以上本発明の例示例として説明してきたが、特許請求の範囲に記載した本発明の広義の境界及び範囲から逸脱することなしに種々の変形及び変更は当業者に明らかである。
【図面の簡単な説明】
【００２６】
【図１】本発明によるコネクター組立体の側面図。
【図２】図１の矢印Ａ−Ａに沿った断面図。
【図３】図１のコネクター組立体の分解斜視図。
【図４】図１のコネクター組立体の分解斜視図。
【図５】一側部からの組立斜視図。
【図６】反対側部から見た組立斜視図。
【図７】僅かに変更した組立体の図１と同様な側面図。
【図１】
2006527802.tif 000003
【図２】
2006527802.tif 000004
【図３】
2006527802.tif 000005
【図４】
2006527802.tif 000006
【図５】
2006527802.tif 000007
【図６】
2006527802.tif 000008
【図７】
2006527802.tif 000009
【国際調査報告】
2006527802.tif 000010
2006527802.tif 000011
2006527802.tif 000012